(57)【要約】      （修正有）【課題】敷物の美観を向上させる敷物とスリッパとの組合せの提供。【解決手段】左足用スリッパ１ａがハートの左半部形状に、右足用スリッパ１ｂがハートの右半部形状にそれぞれ形成されており、両スリッパの左右内側縁を互いに接合させたときハート全体の形状が表れるようになっている。またこのスリッパ１ａ，１ｂを互いに揃えて並べたものと略同大で略同形状のハート形状部分が玄関マットの上面に描かれており、このハート形状部分に合致させて上記スリッパ１ａ，１ｂを載置し脱ぎ揃える。【選択図】図１
0003121613.tif 000002
【実用新案登録請求の範囲】
【請求項１】
家屋の床上に敷設されて使用される敷物であって、該床上で使用されるスリッパの形状が上記敷物の上面に描かれていることを特徴とする敷物。
【請求項２】
左足用及び右足用のスリッパを互いに同一方向に揃えて並べたものと略同一の形状が上記敷物の上面に描かれていることを特徴とする請求項１に記載の敷物。
【請求項３】
前記敷物の上面に描かれたスリッパ形状の部分が、左足用及び右足用のスリッパを互いに同一方向に揃えて並べたものと略同一の大きさを有していることを特徴とする請求項２に記載の敷物。
【請求項４】
前記敷物の上面に描かれたスリッパ形状の部分がその周囲より低い凹所として形成されており、かつ、該凹所は前記スリッパの底面を収納可能な大きさを有していることを特徴とする請求項１乃至３の何れか１項に記載の敷物。
【請求項５】
前記敷物の上面に描かれたスリッパ形状の部分が周囲とは異なる色彩で着色されていることを特徴とする請求項１乃至４の何れか１項に記載の敷物。
【請求項６】
前記敷物が家屋の玄関の床上に敷設して使用される玄関マットであることを特徴とする請求項１乃至５の何れか１項に記載の敷物。
【請求項７】
家屋の床上に敷設されて使用される敷物と該床上で使用されるスリッパとの組合せであって、上記スリッパの形状が上記敷物の上面に描かれていることを特徴とする敷物とスリッパとの組合せ。
【請求項８】
左足用及び右足用のスリッパを互いに同一方向に揃えて並べたものと略同一の形状が上記敷物の上面に描かれていることを特徴とする請求項７に記載の敷物とスリッパとの組合せ。
【請求項９】
前記敷物の上面に描かれたスリッパ形状の部分が、左足用及び右足用のスリッパを互いに同一方向に揃えて並べたものと略同一の大きさを有していることを特徴とする請求項８に記載の敷物とスリッパとの組合せ。
【請求項１０】
前記敷物の上面に描かれたスリッパ形状の部分がその周囲より低い凹所として形成されており、かつ、該凹所は前記スリッパの底面を収納可能な大きさを有していることを特徴とする請求項７乃至９の何れか１項に記載の敷物とスリッパとの組合せ。
【請求項１１】
前記敷物の上面に描かれたスリッパ形状の部分が周囲とは異なる色彩で着色されていることを特徴とする請求項７乃至１０の何れか１項に記載の敷物とスリッパとの組合せ。
【請求項１２】
前記敷物が家屋の玄関の床上に敷設して使用される玄関マットであることを特徴とする請求項７乃至１１の何れか１項に記載の敷物とスリッパとの組合せ。
【考案の詳細な説明】
【技術分野】
【０００１】  本考案は、例えば家屋の玄関の床上に敷設して使用される玄関マットのような敷物，及び敷物と該床上で使用されるスリッパとの組合せに関する。
【背景技術】
【０００２】  上記玄関マットは見栄えと機能性との両立が強く求められ、各種デザインのものが製造販売されている。例えば特開２０００−３２５２１６公報では、マット上面の絵柄に蛍光材を用いることにより、ファッション性と夜間の視認性とを同時に高めたものが提案されている。
【考案の開示】
【考案が解決しようとする課題】
【０００３】  しかしこれらのものは、何れも玄関マットを単体として捉え機能向上等に努めたものであるから、その工夫の範囲には限界がある。本考案は、このような玄関マットの如き敷物の機能や見栄えを更に向上させることを目的とし、またスリッパと敷物との組合せにより向上を図ることができるよう工夫をこらしたものである。
【課題を解決するための手段】
【０００４】  第１の考案は、家屋の床上に敷設されて使用される敷物であって、該床上で使用されるスリッパの形状が上記敷物の上面に描かれていることを特徴としている。【０００５】  また第２の考案は、上記第１の考案において、左足用及び右足用のスリッパを互いに同一方向に揃えて並べたものと略同一の形状が上記敷物の上面に描かれていることを特徴としている。【０００６】  また第３の考案は、上記第２の考案において、上記敷物の上面に描かれたスリッパ形状の部分が、左足用及び右足用のスリッパを互いに同一方向に揃えて並べたものと略同一の大きさを有していることを特徴としている。【０００７】  また第４の考案は、上記第１乃至３の何れかの考案において、上記敷物の上面に描かれたスリッパ形状の部分がその周囲より低い凹所として形成されており、かつ、該凹所は前記スリッパの底面を収容可能な大きさを有していることを特徴としている。【０００８】  また第５の考案は、上記第１乃至４の何れかの考案において、上記敷物の上面に描かれたスリッパ形状の部分が同一色彩で着色されていることを特徴としている。【０００９】  また第６の考案は、上記第１乃至５の何れか考案において、上記敷物が家屋の玄関の床上に敷設して使用される玄関マットであることを特徴としている。【００１０】  第７の考案は、家屋の床上に敷設されて使用される敷物と該床上で使用されるスリッパとの組合せであって、上記スリッパの形状が上記敷物の上面に描かれていることを特徴としている。【００１１】  また第８の考案は、上記第７の考案において、左足用及び右足用のスリッパを互いに同一方向に揃えて並べたものと略同一の形状が上記敷物の上面に描かれていることを特徴としている。【００１２】  また第９の考案は、上記第８の考案において、上記敷物の上面に描かれたスリッパ形状の部分が、左足用及び右足用のスリッパを互いに同一方向に揃えて並べたものと略同一の大きさを有していることを特徴としている。【００１３】  また第１０の考案は、上記第７乃至９の考案において、上記敷物の上面に描かれたスリッパ形状の部分がその周囲より低い凹所として形成されており、かつ、該凹所は上記スリッパの底面を収納可能な大きさを有していることを特徴としている。【００１４】  また第１１の考案は、上記第７乃至１０の考案において、上記敷物の上面に描かれたスリッパ形状の部分が周囲とは異なる色彩で着色されていることを特徴としている。【００１５】  また第１２の考案は、上記第７乃至１１の考案において、上記敷物が家屋の玄関の床上に敷設して使用される玄関マットであることを特徴としている。
【考案の効果】
【００１６】  第１及び第７の考案によれば、上記敷物に描かれたスリッパ形状の上に実際のスリッパを重ねて置くことにより、スリッパ形状と敷物の絵柄との間に一体感が生まれ、ファッション性が高まるという効果がある。またスリッパを敷物に描かれたスリッパ形状の上に揃えて載置する習慣が付くことにより、左右各スリッパが散乱せず、玄関等の周囲が自然と美しくなる効果がある。【００１７】  第２及び第８の考案によれば、左足用及び右足用のスリッパを互いに同一方向に揃えて並べた形状が上記敷物の上面に描かれているので、スリッパの使用者が該スリッパを脱ぐとき、上記敷物に描かれた形状に促され、実際のスリッパを該形状の上に行儀良く揃えて置くようになるので、来客等に対し極めて良い印象を与えることができるという効果がある。【００１８】  第３及び第９の考案によれば、上記敷物の上面に描かれたスリッパ形状の部分が、左足用及び右足用のスリッパを互いに同一方向に揃えて並べたものと略同一の大きさを有しているので、実際のスリッパを該形状の上に行儀良く揃えて置くことが容易であり、しかも正確に位置合わせできるという利点がある。【００１９】  第４及び第１０の考案によれば、実際のスリッパを敷物の上面に描かれたスリッパ形状の上に正確に置くことが更に容易となり、しかもスリッパを置いた状態において、該スリッパと敷物との一体感が向上し美観が向上ずるという効果がある。【００２０】  第５及び第１１の考案によれば、上記敷物の上面に描かれたスリッパ形状を容易かつ明確に視認できるという利点がある。【００２１】  第６及び第１２の考案によれば、敷物が家屋の玄関の床上に敷設して使用される玄関マットであるので、来客に対するその家庭の印象を良くすることができる。
【考案を実施するための最良の形態】
【００２２】  まず、本考案に係る敷物と同時に使用されるスリッパについて、図１及び図２を用いて説明する。図１は左足用及び右足用からなる１対のスリッパ１を互いに揃えて床面上に載置した状態を示す平面図であり、図２は左足用スリッパ１ａのみを示す平面図である。右足用スリッパ１ｂは図２に示す左足用スリッパ１ａとは左右対称の構成となる。【００２３】  これらの図１及び図２から明らかなように、家屋の床上で使用されるスリッパ１は、左足用スリッパ１ａと右足用スリッパ１ｂとからなる特殊な形状をなしている。左足用スリッパ１ａがハートのマークの左半部形状に、右足用スリッパ１ｂがハートのマークの右半部形状にそれぞれ形成されており、両スリッパの左右内側を互いに接合させたとき、ハートのマークの全体形状が完成し表れるようになっている。【００２４】  左足用スリッパ１ａ及び右足用スリッパ１ｂは、それぞれ足裏部２と甲部３とからなり、足裏部２はハートのマークを直線によって縦に２分割したときの左右半部形状をなしている。従って足裏部２の上半部即ち先端側は上部が丸い半円形状部分４となっており、下半部即ち基端側は細い角形状部分５となっている。また該基端側の左右の内側縁はそれぞれ直線状部分６となっている。足裏部２の左右中央を通る直線Ｓを引いたとき、上記直線状部分６はこの直線Ｓに対し約３０度程度の角度Ｒで先端側が開く形となっている。【００２５】  上記足裏部２はスリッパ１の使用者が足の裏を載せる部分であり、従ってその裏面（図２の裏面側）は滑らかで強く、防水性のある材質の布状物で形成され、その上に比較的厚みのある芯材が配設され、またその上にクッション材が配設され、更にその上に赤又はピンクなどの美しい色彩を有する柔軟で肌触りの良い素材からなる布材７が配設されている。これらの各素材は、互いに上下に順に重ね合わされてその周囲を丈夫な糸で一体的に縫合され、足裏部２を形成している。【００２６】  上記甲部３は、その全体が略アーチ形状をしており、複数の布が重ね合わせられて構成されており、その最表面（図２の表面側）には上記足裏部２の最表面の布材７と同一の色彩及び材質からなる布材８が配設されている。そして該甲部３は、足の爪先を挿入する側を残して、その先端側部分と両側部分とを上記足裏部２に重ね合わせて丈夫な糸で一体的に縫合されている。このようにして各スリッパ１ａ，１ｂには、それぞれの上部に足の爪先を挿入するための筒穴状の甲部３が形成される。従って該甲部３の爪先挿入穴９は、該甲部３の厚み１０をスリッパを使用する人の足の大きさに応じて適当に調整設定することにより、履き良い適度な大きさに設定される。なお甲部３は上記したようにその先端側部分と両側部分とを足裏部２に対し一体的に縫合してつま先が該甲部３内に収まるようにするのが良いが、左右両側部分のみを足裏部２に対し縫合して爪先先端が甲部３から少し出るようにしても良い。【００２７】  このように、各スリッパ１ａ，１ｂは互いに対称形状に構成され、図１に示すように、互いの内側縁である直線状部分６同士が接する形で床面上に配置することにより、上部が左右に開き下部が細く尖ったハートのマークが出来上がる。即ちこのとき前記半円形状部分４，４が互いに離反してハートの上側の部分を形成し、前記角形状部分５，５は互いに接近してハートの下側の突き出した部分を形成する。またこのとき出来上がるハートのマークは、前記したように足裏部２及び甲部３が互いに同一色であるため、その全体が同一色となる。なお、上記直線状部分６に互いに着脱自在なマグネット又は面ファスナーからなる接合部材１１を縫合などの手段によりそれぞれ固着しておけば、直線状部分６，６同士を確実容易に接合できる。なお上記直線状部分６の一方にマグネットを設けたときは、該直線状部分６の他方に該マグネットによって吸引される鉄などの金属を設けるようにしても良いのは勿論である。【００２８】  このように左右の各スリッパ１ａ，１ｂを互いに接した状態で、即ち全体がハートの形状で玄関の床面に置くことにより、屋外からの来客に対し歓迎の意思表示を行うことが出来る。歓迎された来客はその左右各スリッパ１ａ，１ｂのそれぞれに足先を入れれば、両スリッパは容易に２つに分かれるので、その後は通常のスリッパとして使用できる。また玄関から屋外へ外出するときは、上記とは逆にして２つのスリッパ１ａ，１ｂを互いにあわせ、ハートの形状となるように並べて床面上に載置することになる。子供達の場合、このハートの形状を作ることが楽しいため、左右各スリッパ１ａ，１ｂを散乱させることなくキチンと脱ぎ揃えるようになり、従って躾が良くなり、玄関が自然と美しくなるという効果も期待できる。【００２９】  次に、本考案に係る敷物としての玄関マットについて、上述したスリッパと共に説明する。図３はスリッパ１を玄関マット１５上に重ねて載置した状態を示す平面図であり、図４はこの玄関マット１５のみを示す平面図、図５は図４におけるＡ−Ａ線断面図である。【００３０】  玄関マット１５は、マット本体を形成する矩形の基布１６と、その上表面に縫い付けられた多数の繊維であるパイル１７とからなる。パイル１７には、同一長さの繊維が直線状に起立したカットパイル部分１８と、繊維がループ状に植毛されたループパイル部分１９とがあり、基布１６表面からパイル１７先端までの長さであるパイル長は、カットパイル部分１８の方がループパイル部分１９より充分に大きくなるように設定されている。【００３１】  玄関マット１５の上表面には、所定の部分にハート形状部分２０が描かれている。このハート形状部分２０は、その内部を上記ループパイル部分１９とし、その周囲即ち外部を上記カットパイル部分１８とすることによって形成されている。従ってハート形状部分２０はその周囲の部分よりも沈んだ凹所部分として形成される。またハート形状部分２０は、上記スリッパ１とほぼ同一又は少し大きい大きさで、ほぼ同一の形状となるように描かれる。即ち図１で示したように、左右両スリッパ１ａ，１ｂを互いに揃えた形状に形成され、従って左右両スリッパ１ａ，１ｂは、このハート形状部分２０内にハート形状に揃えられた状態で収容される又は埋もれるように載置可能である。【００３２】  なお、前記したように互いに揃えられたスリッパ１はこれを上方から見たとき全体が同一色であるが、例えばこれがハートに相応しい赤色である場合、上記玄関マット１５の表面のパイル１７はハートの赤色��美しく際立たせるための色、例えばベージュ色等が採用される。スリッパ１が赤色で玄関マット１５のカットパイル部分１８をベージュ色とし、上記ハート形状部分２０を形成するループパイル部分１９のみを周囲と異なる例えば水色に着色して描いても良い。あるいは玄関マット１５の表面のパイル１７全体を、スリッパ１と同じ赤色としても良い。ハート形状部分２０を、その輪郭に周囲とは異なる色の線を引くことにより形成しても良い。またスリッパ１の最表面を形成する布材７，８と玄関マット１５のパイル１７とを同一素材としても良い。家族が３人おり、従ってスリッパ１が３セットある場合には、玄関マット１５のハート形状部分２０もその数に合わせて３つ描かれるのが好ましい。【００３３】  上記玄関マット１５は、上記ハート形状部分２０が来客側から見て、即ち屋外側から見て正立したハートマークとなるよう、その上下方向を定めて玄関の床上に敷設される。そしてスリッパ１は、図３に示すように、このハート形状部分２０に合致させて載置される。即ちハート形状部分２０の全部又は殆どが、スリッパ１によって上方から覆われるようになる。このとき図５に示すように、ハート形状部分２０がその周囲の部分に比べ低い凹所となっているため、スリッパ１はその底部分即ち足裏部２の下部分が該凹所部分内に包含され、玄関マット１５内に一体的に収容された状態となる。【００３４】  従って人が外出する場合、その者はスリッパ１を玄関マット１５のハート形状部分２０上に揃えて載置して出かけることになる。このとき図３で表される状態はスリッパ１が赤色、玄関マット１５のハート形状部分２０が水色でその他の部分がベージュ色であれば、ベージュ色の玄関マット１５上に赤色のスリッパ１がハート形に表れることになる。上記の者が帰宅して玄関マット１５上のスリッパ１を足に履いて使用すれば、図４に示すようにベージュ色の玄関マット１５上に水色のハート形状部分２０が表れることになる。【００３５】  従って例えばその家庭が３人家族であり、２人が屋内にいてそれぞれがスリッパ１を使用している場合、玄関に置かれた玄関マット１５には、赤色のハートが１つ、水色のハートが２つ表れることになる。なおこの場合、各スリッパの色は必ずしも同一である必要はなく、使用する者の好みに応じて各種の色を用いても良い。またこれと同様に玄関マット１５における各ハート形状部分２０の色も、複数であっても良い。更に玄関マット１５における各ハート形状部分２０の方向は必ずしも同一方向に揃っている必要はなく、それぞれが多少の傾斜を有していても良い。【００３６】  前記したように、ハート形状部分２０即ちスリッパ形状部分がその周囲の部分に比べ低い凹所として形成されているので、スリッパ１をその中に収め易くなる利点がある。またスリッが互いに一体化された状態となるので、見栄えに一体感があり、美観が向上する効果がある。【００３７】  上述したように本実施の形態に係る敷物によれば、来客を玄関でハート形状のスリッパが優しく出迎えるものとなり、来客が受ける印象を極めて良いものとすることができる。また本敷物によれば、スリッパを子供が脱ぐときにキチンとハート形に並べて置くようになるので、自然に良い躾が身���付くようになるという利点もある。【００３８】  本実施の形態に係るスリッパと玄関マットとの組合せによれば、ハート形状のスリッパを一層美しく際立たせることができ、またスリッパの配置も自然に定まるため、玄関回りが整理されるという利点がある。またスリッパがあるときと無いときとでハートの色が変わることになるので、楽しく使用できる。【００３９】  また上記した実施の形態ではスリッパ１，１をハートの左右半部形状としたが、これに限らず各種形状、例えば通常の足の裏の形状と同じスリッパ形状とすることができるのは勿論であり、本考案はスリッパの形状を特に限定するものではない。本考案において敷物に形成されるスリッパ形状はスリッパの形状に合致したものであり、スリッパがハート形状であれば敷物に描かれるスリッパ形状もハート形となり、仮にスリッパが円形であれば敷物に描かれるスリッパ形状も円形となる。【００４０】  また上記した実施の形態では敷物を玄関マットとしたが、これに限らず、各種の敷物に応用できる。更に玄関マット１５におけるハート形状部分２０を凹所とするための構造も、上記した実施形態に限らず、各種のものを採用することができる。例えばハート形状部分２０からパイル１７を除去して基布１６が露出するようにしても良く、あるいは玄関マット１５に上記ハート形状部分２０を孔のように切欠いてこれの中にスリッパ１を収容するようにすることも可能である。
【図面の簡単な説明】
【００４１】
【図１】スリッパを組合わせた状態を示す平面図。
【図２】左側のスリッパを示す平面図。
【図３】スリッパと敷物との組合わせを示す平面図。
【図４】敷物を示す平面図。
【図５】図４におけるＡ−Ａ線断面図。
【符号の説明】
【００４２】  １    スリッパ
１ａ  左足用スリッパ
１ｂ  右足用スリッパ
１５  玄関マット（敷物）
２０  ハート形状部分（スリッパ形状部分）
【図１】
0003121613.tif 000003
【図２】
0003121613.tif 000004
【図３】
0003121613.tif 000005
【図４】
0003121613.tif 000006
【図５】
0003121613.tif 000007